(57)【要約】    【課題】  単写静止画像と連写静止画像とが混在している記録媒体から画像連続読み出し再生を行う際に、単写画像と連写画像の再生時間を可変させ、静止画像は、より動的に再生することができる撮像装置を提供する。    【解決手段】  画像情報判定手段１０１により判定された画像情報を元に画像連続出力手段６１９から出力される画像の速度を単写時と連写時とで変化させる。【選択図】      図１
2005176246.tif 000002
【特許請求の範囲】
【請求項１】
静止画を不連続で撮影する単写撮影工程と、静止画を連続的に撮影する連写撮影工程と、撮影した画像を記録媒体に記録する画像記録工程と、撮影条件を記録媒体に記録する撮影条件記録工程と、前記記録媒体に記録された画像を連続的に出力する画像連続出力工程と、前記撮影条件記録工程により記録された撮影条件を判定する撮影条件判定工程とを備え、単写撮影された画像と連写撮影された画像とが混在する前記記憶媒体から前記画像連続出力工程により画像を連続的に出力して再生可能な撮像方法であって、
前記撮影条件判定工程により連写画像であると判定された場合にその連写情報を元に前記画像連続出力工程により出力される画像の更新再生時間を変化させて単写画像時とは異なった画像再生時間を設定する画像再生時間可変工程を備えたことを特徴とする撮像方法。
【請求項２】
前記画像再生時間可変工程を制御して画像再生時間を任意に変化させることが可能な再生時間設定工程を備えたことを特徴とする請求項１に記載の撮像方法。
【請求項３】
静止画を不連続で撮影する単写撮影手段と、静止画を連続的に撮影する連写撮影手段と、撮影した画像を記録媒体に記録する画像記録手段と、撮影条件を記録媒体に記録する撮影条件記録手段と、前記記録媒体に記録された画像を連続的に出力する画像連続出力手段と、前記撮影条件記録手段により記録された撮影条件を判定する撮影条件判定手段とを備え、単写撮影された画像と連写撮影された画像とが混在する前記記憶媒体から前記画像連続出力手段により画像を連続的に出力して再生可能な撮像装置であって、
前記撮影条件判定手段により連写画像であると判定された場合にその連写情報を元に前記画像連続出力手段により出力される画像の更新再生時間を変化させて単写画像時とは異なった画像再生時間を設定する画像再生時間可変手段を備えたことを特徴とする撮像装置。
【請求項４】
前記画像再生時間可変手段を制御して画像再生時間を任意に変化させることが可能な再生時間設定手段を備えたことを特徴とする請求項３に記載の撮像装置。
【請求項５】
請求項１または２に記載の撮像方法を実現するためのコンピュータ読み取り可能なプログラムコードを有することを特徴とするプログラム。
【請求項６】
請求項１または２に記載の撮像方法を実現するためのコンピュータ読み取り可能なプログラムコードを保持することを特徴とする記憶媒体。
【発明の詳細な説明】
【技術分野】
【０００１】
本発明は、ビデオカメラ等の撮像装置により撮像する撮像方法、撮像装置、プログラム及び記憶媒体に関する。
【背景技術】
【０００２】
従来、記録媒体に記録された画像を画像連続出力手段により順次液晶パネルに表示させるようにした撮像装置が提案されている（例えば、特許文献１参照）。
【０００３】
以下、斯かる従来の撮像装置の構成及び動作について、図６を用いて説明する。
【０００４】
図６は、従来の撮像装置の構成を示すブロック図であり、同図において、６０１は被写体の結像用レンズ、６０２は入射光量を制御する絞り機構、６０３は絞り機構６０２を駆動する駆動モータ、６０４は絞り機構駆動手段で、駆動モータ６０３を駆動するものである。６０５は絞り状態検出手段で、絞り機構６０２の状態を検出するものである。６０６は入射した光を光電変換するＣＣＤ、６０７は撮像素子駆動手段で、ＣＣＤ６０６を制御し且つ光電変換された信号を読み出すと共に、信号の蓄積時間を制御する電子シャッタ機能を制御するものである。６０８はＣＤＳ／ＡＧＣで、ＣＣＤ６０６により光電変換された信号をサンプリングし、そのサンプリングした信号を電気的に増幅するものである。
【０００５】
６０９はアナログ−デジタル変換器（以下、Ａ／Ｄ変換器と記述する。）で、ＣＤＳ／ＡＧＣ６０８の出力であるアナログ信号をデジタル信号に変換するものである。６１０は信号処理手段（以下、ＤＳＰと記述する。）で、ガンマ補正後、色分離、色差マトリクス等の処理を施した後、同期信号を加え標準テレビジョン信号を生成したりする制御機能を有している。６１１はメモリ（Ａ）で、ＤＳＰ６１０で処理された画像、または様々な設定を記憶しておくものである。６１２は記録手段で、静止画を後述する記録媒体６１４に記録するものである。６１３は画像情報記録手段で、静止画を撮影した際の情報を後述する記録媒体６１４に記録しておくものである。
【０００６】
６１４は静止画や、その画像情報を記録しておくことができる記録媒体、６１５はマイクロコンピュータで、ＤＳＰ６１０に処理命令を出すものである。６１６は連続撮影手段で、連続撮影を行うため絞り機構６０４を制御するものである。６１７は単写撮影手段で、単写撮影を行うため絞り機構６０４を制御するものである。６１８は単写・連写切替スイッチで、連写撮影手段６１６による撮影モードと単写撮影手段６１７による撮影モードとを択一的に切り替えるものである。６１９は画像連続出力手段で、ＤＳＰ１３からの命令により、記録媒体６１４に記憶された画像を順次、後述する表示手段６２１等に出力するものである。６２０は出力するための画像を記憶しておくメモリ（Ｂ）、６２１は液晶パネル等から成る表示手段で、画像連続出力手段６１９から出力される画像を表示するものである。６２２は静止画像を撮影する時の撮影動作トリガーとなるフォトスイッチである。
【０００７】
ここで、記録媒体６１４に記録された画像を画像連続出力手段６１９により順次表示手段６２０に表示させる動作について説明する。
【０００８】
静止画再生中、スライドショーが選択され且つ実行されると、画像連続出力手段６１９がＤＳＰ６１０に静止画像を記録媒体６１４から読み出すように命令する。そして、記録媒体６１４から読み出された静止画像は、ＤＳＰ６１０を経由して画像連続出力手段６１９に取り込まれ、メモリ（Ｂ）６２０で一時記憶され、表示手段６２１に出力表示される。この静止画像の読み出し作業は、スライドショーがキャンセルされるまで継続して行われるが、この時の静止画像の表示時間と表示間隔は、予め決められた一定表示時間と一定表示間隔であった。
【特許文献１】特開平１１−３３１７３９号公報
【発明の開示】
【発明が解決しようとする課題】
【０００９】
しかしながら、上述した従来装置においては、スライドショー機能等で画像を連続的に再生させる場合、画像が単写により得られたものであろうと、連写で得られたものであろうと、静止画像の再生時間は一定であり、画像と共に記憶媒体１４に記憶された画像情報は十分に活用されていなかった。
【００１０】
そのため、連写された静止画像は、只単に多くの単写された静止画像の一部としか見られず、連写としての画像の面白さが十分に発揮されていなかった。
【００１１】
そこで、本発明は、単写静止画像と連写静止画像とが混在している記録媒体から画像連続読み出し再生を行う際に、単写画像と連写画像の再生時間を可変させ、静止画像は、より動的に再生できるようにした撮像方法、撮像装置、プログラム及び記憶媒体を提供することを目的とする。
【課題を解決するための手段】
【００１２】
上記目的を達成するために、本発明の撮像方法は、静止画を不連続で撮影する単写撮影工程と、静止画を連続的に撮影する連写撮影工程と、撮影した画像を記録媒体に記録する画像記録工程と、撮影条件を記録媒体に記録する撮影条件記録工程と、前記記録媒体に記録された画像を連続的に出力する画像連続出力工程と、前記撮影条件記録工程により記録された撮影条件を判定する撮影条件判定工程とを備え、単写撮影された画像と連写撮影された画像とが混在する前記記憶媒体から前記画像連続出力工程により画像を連続的に出力して再生可能な撮像方法であって、前記撮影条件判定工程により連写画像であると判定された場合にその連写情報を元に前記画像連続出力工程により出力される画像の更新再生時間を変化させて単写画像時とは異なった画像再生時間を設定する画像再生時間可変工程を備えたことを特徴とする。
【００１３】
また、上記目的を達成するために、本発明の撮像装置は、静止画を不連続で撮影する単写撮影手段と、静止画を連続的に撮影する連写撮影手段と、撮影した画像を記録媒体に記録する画像記録手段と、撮影条件を記録媒体に記録する撮影条件記録手段と、前記記録媒体に記録された画像を連続的に出力する画像連続出力手段と、前記撮影条件記録手段により記録された撮影条件を判定する撮影条件判定手段とを備え、単写撮影された画像と連写撮影された画像とが混在する前記記憶媒体から前記画像連続出力手段により画像を連続的に出力して再生可能な撮像装置であって、前記撮影条件判定手段により連写画像であると判定された場合にその連写情報を元に前記画像連続出力手段により出力される画像の更新再生時間を変化させて単写画像時とは異なった画像再生時間を設定する画像再生時間可変手段を備えたことを特徴とする。
【発明の効果】
【００１４】
本発明によれば、単写静止画像と連写静止画像とが混在している記録媒体から画像連続読み出し再生を行う際に、単写画像と連写画像の再生時間を可変させ、静止画像は、より動的に再生することができる。
【発明を実施するための最良の形態】
【００１５】
本発明の撮像方法、撮像装置、プログラム及び記憶媒体の実施形態について、図１乃至図５を参照しながら説明する。
【００１６】
［第１の実施形態］
まず、本発明の第１の実施の形態を、図１乃至図３に基づき説明する。
【００１７】
図１は、第１の実施形態に係る撮像装置の構成を示すブロック図である。図１において、上述た従来例の図６と同一部分には、同一符号が付してある。
【００１８】
図１において、図６と異なる点は、図６の構成に、画像情報判定手段（撮影条件判定手段）１０１と画像再生時間変更手段（画像再生時間可変手段）１０２とを付加したことである。
【００１９】
画像情報判定手段１０１は、記録媒体６１４に記録されている画像情報（撮影条件情報等を含む。）を判定し、その判定結果により画像連続出力手段６１９に出力方法を変化させるように命令を出すものである。画像再生時間変更手段１０２は、画像情報判定手段１０１の判定結果により、画像再生時間を変更（可変）させるものである。
【００２０】
次に、本実施の形態に係る撮像装置において、撮影条件情報を元に画像出力速度を変化させる動作について説明する。
【００２１】
まず、被写体が記録媒体６１４に記録されるまでの動作例を、図１を用いて説明する。
【００２２】
撮影者が単写・連写切替スイッチ６１８を操作し、単写で撮影するのか、連写で撮影するのかが決定される。その後、フォトスイッチ６２２により静止画撮影が実行されると、単写・連写切替スイッチ６１８により単写撮影モードが選択されていた場合は、単写撮影手段６１７により絞り機構駆動手段６０４が駆動モータ６０３を制御して絞り機構６０２を動作させ、また、単写・連写切替スイッチ６１８により連写撮影モードが選択されていた場合は、連写撮影手段６１６により絞り機構駆動手段６０４が駆動モータ６０３を制御し、絞り機構６０２を動作させる。
【００２３】
そして、レンズ６０１から入射した光がＣＣＤ６０６により光電変換され、その信号がＣＤＳ／ＡＧＣ６０８でサンプリングされ、電気的に増幅され、Ａ／Ｄ変換器６０９においてデジタル信号に変換された後、ＤＳＰ６１０にてカメラ信号処理される。このとき、記録される画像の撮影条件情報もマイクロコンピュータ６１５からＤＳＰ６１０に送られ、撮影条件記録手段６１３により記録媒体６１４に撮影条件情報が記録される。
【００２４】
その撮影条件とは、画像Ｎｏ．（番号）、単写撮影・連写撮影、連写速度である。ここで画像Ｎｏ．とは、記録媒体６１４に記憶されている画像に割り振られる番号であり、若し、記録媒体６１４に何も画像が記録されていなければ、最初に記録媒体６１４に記録される画像Ｎｏ．を０とし、その後、単写撮影されようとも連写撮影されようとも順次記録される画像に順番にＮｏ．１、２、・・・と番号を付けていく。また、単写撮影・連写撮影とは、単写・連写切替スイッチ６１８により単写撮影モードが選択されて単写撮影手段６１７により撮影された場合は「単写撮影」と情報が記録され、単写・連写切替スイッチ１８により連写が選択されて連写撮影手段６１６により撮影された場合は「連写撮影」と情報が記録される。更に、連写速度とは、連写撮影手段６１６により撮影された静止画が１秒間に何コマのレートで撮影されたかを示す情報である。従って、記録媒体６１４に記録されている画像情報が読み出され、画像情報判定手段１０１により読み取られた時、その情報が、画像Ｎｏ．１０、連写、４コマ／秒という情報が得られたら、この画像は、連写撮影手段６１６により撮影され、記録媒体６１４の１０番目に記録されている静止画像である。そして、その連写速度は、１秒間に４コマであると判断できる。
【００２５】
次に、記録媒体６１４に撮影条件情報と共に記録された静止画像を連続的に読み出す方法を図１に基づき説明する。
【００２６】
ユーザにより撮影された静止画像をスライドショーのような連続的に出力するモードが選ばれて実行されたら、画像連続出力手段６１９がＤＳＰ６１２に、静止画像と静止画像記録情報とを記録媒体６１４から読み込むように命令し、ＤＳＰ６１０を経由して静止画像とその静止画像記録情報を得る。この時、静止画像をメモリ（Ｂ）６２０に記録させ、静止画像記録情報を画像情報判定手段１０１に送信し、この画像情報判定手段により画像情報を判定し、その判定結果を元に表示手段６２１に画像を表示させる。
【００２７】
もし、ここで、画像情報判定手段６２２が画像を単写撮影手段６１７により撮影された静止画像であると判定した場合は、予め決められている単写用画像表示時時間を画像再生時間変更手段１０２により設定し、その設定された時間だけ表示手段６２１に画像を表示させる。或いは、画像情報判定手段６２２が画像を連写撮影手段６１６により撮影された静止画像であると判定した場合は、更に、画像情報の中の連写速度情報を読み取り、その連写速度と同じ表示間隔となるように画像再生時間変更手段１０２により再生時間を設定し、表示手段６２１に画像を表示させる。即ち、連写速度が１秒間にｔコマであったとしたら、１／ｔ秒だけ連写画像中の１枚を表示手段６２１に表示させる。その後、連写画像が連続して読み出されたら、上記と同様にして画像情報判定手段６２２により連写速度より画像表示時間を計算して順次表示手段６２１に画像を表示させる。
【００２８】
このように静止画像を連写された時の連写速度と同じ時間間隔で表示手段６２１に表示させることにより、恰も静止画像が動画のように臨場感あふれたものとなる。
【００２９】
次に、本実施の形態に係る撮像装置の画像再生動作タイミングを、図２のタイムチャートを参照して説明する。
【００３０】
まず、スライドショー等の連続画像表示機能が実行されたら、画像Ｎｏ．１の単写画像を読み出す。その時の再生時間はＴｓである。
【００３１】
次も、同様に画像Ｎｏ．１、Ｎｏ．２の単写画像をそれぞれ同じく再生時間Ｔｓだけ表示させる。
【００３２】
次に、読み出される画像は画像Ｎｏ．３であり連写画像であるので、画像情報に付加されている連写速度情報を読み出す。その連写速度は２コマ／秒なので画像再生時間は０．５秒となる。その後に続く連写画像を同様に再生する。
【００３３】
この場合、画像Ｎｏ．１０まで再生時間０．５秒を繰り返すことになる。
【００３４】
その後、連写画像の再生が終り、再び画像Ｎｏ．１１の単写画像の再生に移行したならば、画像Ｎｏ．０から画像Ｎｏ．２と同様に、予め決められた再生時間Ｔｓだけ再生して、次の画像の再生に移行する。
【００３５】
そして、記録媒体６１４に記録されている最後の画像Ｎｏ．１３を再生し終わったら、再び画像Ｎｏ．０に戻り、上記同様の画像再生処理を行う。
【００３６】
次に、本実施の形態に係る撮像装置の動作を、図３のフローチャートを参照して説明する。
【００３７】
図３において、スライドショーが開始されたら、まず、ステップＳ３０１で、予め設定されている再生開始画像Ｎｏ情報を元にＮｏ．ｉの静止画像の再生処理を開始し、画像を表示手段６１２に表示させる。次に、ステップＳ３０２で、画像情報を読み取る。次に、ステップＳ３０３で、前記ステップＳ３０２において読み取られた画像情報のうち、単写・連写情報から単写であるか連写であるかを判断する。そして、単写であると判断された場合はステップＳ３０４へ、また、連写であると判断された場合はステップＳ３０９へ、それぞれ進む。
【００３８】
ステップＳ３０４では、画像再生時間Ｔが１だけカウントアップされ、次のステップＳ３０５へ進む。ステップＳ３０５では、前記ステップＳ３０４においてカウントアップされた時間Ｔが予め決められた単写静止画用再生時間Ｔｓを超えたか否かを判断する。そして、前記時間Ｔが単写静止画用再生時間Ｔｓを超えていないと判断された場合は、前記ステップＳ３０４へ戻り、画像再生時間Ｔをカウントアップする。また、前記ステップＳ３０５において、画像再生時間Ｔが単写用静止画再生時間Ｔｓを超えたと判断された場合は、ステップＳ３０６へ進む。
【００３９】
一方、ステップＳ３０９では、現在再生中の画像再生時間を、連写速度情報を元に計算する。その計算式は、連写画像再生時間Ｔｃ＝１／連写速度Ｚである。
【００４０】
次に、ステップＳ３１０で、画像再生時間Ｔが１だけカウントアップされた後、ステップＳ３１１へ進む。ステップＳ３１１では、前記ステップＳ３１０においてカウントアップされた時間Ｔが前記ステップＳ３０９において計算された連写静止画用再生時間Ｔｃを超えているか否かを判断する。そして、前記時間Ｔが連写静止画用再生時間Ｔｃを超えていないと判断された場合は前記ステップＳ３１０へ戻り、また、前記時間Ｔが連写静止画用再生時間Ｔｃを超えたと判断された場合はステップＳ３０６へ進む。
【００４１】
ステップＳ３０６では、現在再生中の画像Ｎｏに１を加算し、次のステップＳ３０７へ進む。ステップＳ３０７では、前記ステップＳ３０６において計算された画像Ｎｏが再生画像の中に存在するか否かを判断する。そして、まだ現在再生中の画像よりも大きな画像Ｎｏを持った画像が存在すると判断された場合は、その画像を読み出すため前記ステップＳ３０１へ戻る。また、前記ステップＳ３０７において、現在再生中の画像よりも大きな画像Ｎｏを持った画像が存在しないと判断された場合は、ステップＳ３０８へ進む。ステップＳ３０８では、次に再生する画像Ｎｏを０にリセットし、最初に記録された画像を読み出すため、前記ステップＳ３０１へ戻る。
【００４２】
以上説明したように、本実施の形態に係る撮像装置によれば、画像情報判定手段１０１により判定された画像情報を元に画像連続出力手段６１９から出力される画像の速度を単写時と連写時とで変化させることができる。
【００４３】
［第２の実施形態］
次に、本発明の第２の実施形態を、図４及び図５に基づき説明する。
【００４４】
図４は、本発明の第２の実施形態に係る撮像装置の構成を示すブロック図であり、同図において、上述した第１の実施形態に係る図１と同一部分には同一符号が付してある。
【００４５】
図４において図１と異なる点は、図１の構成に画像再生時間設定手段４０１を付加したことである。
【００４６】
画像再生時間設定手段４０１は、画像再生時間の計算を拡張するためのものである。
【００４７】
本実施の形態に係る撮像装置における撮影条件情報を元に画像出力速度を変化させる動作は、上述した第１の実施形態と同様である。
【００４８】
次に、本実施の形態に係る撮像装置における記録媒体６１４に撮影条件情報と共に記録された静止画像を連続的に読み出す方法を図４に基づき説明する。
【００４９】
ユーザにより撮影された静止画像をスライドショーのような連続的に出力するモードが選ばれて実行されたら、画像連続出力手段６１９は、ＤＳＰ６１０に静止画像と静止画像記録情報を記録媒体６１４から読み込むように命令し、ＤＳＰ６１０を経由して静止画像とその静止画像記録情報を得る。この時、静止画像をメモリ（Ｂ）６２０に記憶させ、静止画像記録情報を画像情報判定手段１０１に送信し、この画像情報判定手段１０１により画像情報を判定し、その判定結果を元に表示手段６２１に画像を表示させる。
【００５０】
もし、ここで、画像情報判定手段６２２が画像を単写撮影手段６１７により撮影された静止画像であると判定した場合は、予め決められている単写用画像表示時時間を画像再生時間変更手段１０２により設定し、その設定された時間だけ表示手段６２１に画像を表示させる。或いは、画像情報判定手段６２２が画像を連写撮影手段６１６により撮影された静止画像であると判定した場合は、更に画像情報の中の連写速度情報を読み取り、また、画像再生時間設定手段４０１からの情報を元に画像再生時間変更手段１０２により再生時間を設定し、表示手段６２１に画像を表示させる。
【００５１】
即ち、連写速度が１秒間ｔコマ、画像再生時間設定手段４０１からの情報が２倍であったとしたら、２／ｔ 秒だけ連写画像中の１枚を表示手段６２１に表示させる。その後、連写画像が連続して読み出されたら、上記と同様にして画像情報判定手段６２２と画像再生時間設定手段４０１の情報を元に画像再生時間変更手段１０２により画像表示時間を計算して、順次画像を表示手段６２１に表示させる。
【００５２】
このように静止画像を、連写された時の連写速度を基準として任意に設定された画像再生時間と倍率にて表示手段６２１に表示させることにより、連写速度が速い画像をゆっくりと確認することができるようになり、また、連写速度が遅い画像を、再生時間を短くして早送りすることができる。
【００５３】
次に、本実施の形態に係る撮像装置の動作を、図５のフローチャートを参照して説明する。
【００５４】
図５において、ステップＳ５０１〜５０９、及びステップＳ５１１〜５１２は、上述した第１の実施形態における図３のステップＳ３０１〜３０９、及びステップ３１０〜３１１と同一であるから、その説明は省略し、本実施の形態特有の処理ステップのみについて説明する。
【００５５】
本実施の形態においては、ステップＳ５０９において現在再生中の画像再生時間を、連写速度情報を元に計算した後、ステップＳ５１０で前記ステップＳ５０９において計算された値Ｔｃに、画像再生時間設定手段４０１により設定された設定倍率ｎを掛け合わせる。その後、ステップＳ５１１へ進んで画像再生時間Ｔを１だけカウントアップする。
【００５６】
以上説明したように、本実施の形態に係る撮像装置によれば、画像情報判定手段１０１により判定された画像情報と画像再生時間設定手段４０１からの情報とを元に画像連続出力手段６１９から出力される画像の速度を単写時と連写時とで変化させることができる。
【００５７】
以上が本発明の実施形態の説明であるが、本発明は、これら実施形態に限られるものではなく、特許請求の範囲で示した機能、または実施形態の構成が持つ機能を達成できる構成であれば、どのようなものであっても適用可能である。
【００５８】
また、本発明の目的は、前述した実施形態の機能を実現するソフトウェアのプログラムコードを記憶した記憶媒体を、システム或いは装置に供給し、そのシステム或いは装置のコンピュータ（またはＣＰＵやＭＰＵ等）が記憶媒体に格納されたプログラムコードを読み出し実行することによっても、達成されることは言うまでもない。この場合、記憶媒体から読み出されたプログラムコード自体が本発明の新規な機能を実現することになり、そのプログラムコードを記憶した記憶媒体及びプログラムは本発明を構成することになる。
【００５９】
また、プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６０】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれることは言うまでもない。
【００６１】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【図面の簡単な説明】
【００６２】
【図１】本発明の第１の実施形態に係る撮像装置の構成を示すブロック図である。
【図２】本発明の第１の実施形態に係る撮像装置の動作タイミングを示すタイムチャートである。
【図３】本発明の第１の実施形態に係る撮像装置の動作の流を示すフローチャートである。
【図４】本発明の第１の実施形態に係る撮像装置の構成を示すブロック図である。
【図５】本発明の第１の実施形態に係る撮像装置の動作の流を示すフローチャートである。
【図６】従来の撮像装置の構成を示すブロック図である。
【符号の説明】
【００６３】
１０１      画像情報判定手段（撮影条件判定手段）
１０２      画像再生時間変更手段（画像再生時間可変手段）
４０１      画像再生時間設定手段
６０１      被写体結像用レンズ
６０２      絞り機構
６０３      絞り機構駆動モータ
６０４      絞り機構駆動装置
６０５      絞り機構検出装置
６０６      ＣＣＤ
６０７      撮像素子駆動装置
６０８      ＣＤＳ／ＡＧＣ
６０９      Ａ／Ｄ変換器
６１０    ＤＳＰ
６１１    メモリ（Ａ）
６１２    記録手段
６１３    撮影条件記録手段
６１４    記録媒体
６１５    マイクロコンピュータ
６１６    連写撮影手段
６１７    単写撮影手段
６１８    単写・連写切替スイッチ
６１９    画像連続出力手段
６２０    メモリ（Ｂ）
６２１    表示手段（液晶パネル）
６２２    フォトスイッチ
【図１】
2005176246.tif 000003
【図２】
2005176246.tif 000004
【図３】
2005176246.tif 000005
【図４】
2005176246.tif 000006
【図５】
2005176246.tif 000007
【図６】
2005176246.tif 000008